(57)【要約】【課題】歩行に際しては１本脚ステッキの携帯性を、展開した腰掛けへの着座に際しては転倒する危険のない安定性を実現する。【解決手段】ステッキ棒と腰掛け、支持棒を折りたたみ可能な三角形の組み合わせとして２脚に構成し、展開したときは腰掛けを前後２脚と左右両足接地で４点支持し、折りたたんだときは２脚および腰掛けを１本脚のステッキとして密着させる。【選択図】　図１
2004121771.tif 000002
【特許請求の範囲】
【請求項１】
ステッキ棒として形成した第一支柱と、第一支柱にヒンジで係合した第二支柱によって腰掛けを前後方向水平に支える三角形支持機構を構成し、腰掛けを含み該三角形支持機構を構成する三角形のいずれかの辺の長さを伸縮可変にすることによって、全体を折りたたむことができる２脚式腰掛け付きステッキ。
【請求項２】
ステッキ棒として使用する第一支柱に腰掛けの一端をヒンジ係合し、該腰掛けの下面に腰掛け荷重を分担する第二支柱をヒンジ係合し、第一支柱の中間部と第二支柱の中間部をヒンジ係合し、前記ヒンジ係合のいずれかを、係合する第一支柱または第二支柱または腰掛けに対して摺動可能にすることによって、腰掛けおよび第二支柱を第一支柱に折りたたみ可能に、あるいは腰掛けとして展開可能にした２脚式腰掛け付きステッキ。
【請求項３】
ステッキ棒として使用する第一支柱に腰掛けの一端をヒンジ係合し、該腰掛けの下面に第二支柱をヒンジ係合し、第二支柱は外筒および外筒内部へ摺動伸縮可能に挿入した腰掛け係合ヒンジ付き心棒の組み合わせで構成し、第二支柱の外筒中間部と第一支柱の中間部をヒンジ係合した２脚式腰掛け付きステッキ。
【請求項４】
請求項２の第二支柱を上下に２分割し、上側第二支柱の上端を腰掛け下面にヒンジ係合し、上側第二支柱の下端を第一支柱に嵌挿した摺動部材の上端にヒンジ係合するとともに、下側第二支柱の上端を摺動部材の下端あるいは第一支柱下方部にヒンジ係合し、下側第二支柱は第一支柱に対して所定角度に開くことができる２脚式腰掛け付きステッキ。
【請求項５】
請求項１において、腰掛けを中継リンクを介して第一支柱にヒンジ係合し、第一支柱の該ヒンジ回りに前記中継リンクを回転させて、全体を折りたたむことができる２脚式腰掛け付きステッキ。
【請求項６】
請求項１において、三角形支持機構を構成する第一支柱以外の辺の一部あるいは全部を取り外し可能にすることによって、全体を折りたたむことができる２脚式腰掛け付きステッキ。
【発明の詳細な説明】
【０００１】
【発明の属する技術分野】
この発明は、折りたたみ式腰掛けを組み込んだ歩行補助用ステッキに関する。
【０００２】
【従来の技術】
折りたたみ腰掛け付きステッキのアイデアは多数あり、またいくつかの製品が国内外で市販されているが、休息用椅子としての機能を重視したものはステッキとしての機能、すなわち軽量歩行補助具としての簡便な携帯性がほとんど無く、ステッキ操作の携帯性を考慮したものは腰掛けとして使用した場合の安定性、快適性が欠ける。折りたたみ椅子としてはパイプ組み立ての４脚式が普及しているが、バッグあるいは車のトランクに収めて運ぶようにできており、ステッキとしての機能は全くない。３脚式は椅子機能を優先しており、携帯性をある程度考慮したステッキ付きのものが海外で開発生産され、国内にも輸入されている。しかし嵩張ること、比較的に重いこと、ステッキとしての操作時にステッキ以外の２本の脚部分が携帯者の脚や路面にしばしば当たるなど不快であり、歩行補助ステッキとしての使用はほとんど考慮されておらず、単に持ち運びの便利性のためにステッキ形に仕立てられている。実用化されている３脚式の使用目的は、車で目的地に乗り付けた後、それほど遠くない地点まで持ち運んで、ゴルフ、競馬その他のスポーツ観戦用の臨時椅子、キャンプ場での簡易椅子として利用するのが主体で、健常者のアウトドアライフ向きである。３脚式の国内のアイデアとして、下部がカメラ用３脚式に開く（特開平９−２０１２１５、特開平１１−３０９００７）ものや同格の３脚を中央で束ねる（実開平６−６６３３８）もの、　登録実用新案（３０６５９３７号）があるが、いずれも３脚式のために嵩張り、かつ部品点数が多く重量が不利である。ステッキ機能を重視したものは、軽量性とステッキ操作性から１本脚式のものがいくつか発表されている。海外では取っ手部分を左右二つ割に展開して革張りあるいはキャンバス張りの座面でつなぎ、腰掛けるものが市販されている。しかしこれらはいずれも腰掛け時に、前後左右の揺れを支えるものが無く、不安定な座り方となり、ステッキ先端を地面に差し込める競馬場あるいはスポーツグラウンドでの観戦など健常者のアウトドア使用向きで、高齢者、足弱者の使用には危険が多い。国内でもステッキ棒にヒンジで腰掛けの一端を折りたたみ式に係合したアイデア（特開２００１−２９９４２１、実開平５−８２３１２）、取っ手を腰掛けにしたアイデア（特開平１０−１１７８２１）が公開されているが、接地部が１本脚構造のために体重を預けるには安定性が欠ける。また構成部品が多く、腰掛けとして展開する、あるいはステッキに折りたたむ操作が煩雑であるため、足弱者あるいは高齢者の日常的な使用には適さない。１本脚に補助足を付けたアイデア（特開平８−３３２１０７）も公開されているが、基本は１本脚構造で荷重を受けるようになっており、補助足のある方向には良いがそれ以外の方向には不安定さがある。
【０００３】
【発明が解決しようとする課題】
課題は二つあり、一つは足弱者や高齢者など本来、ステッキを必要とする人々が日常使用に不便のない程度に軽量化し、歩行時には構成部材折りたたみ部分の出っ張りを減らし、良好なステッキ携帯性を提供することである。他の一つは、安定性の良い堅牢な腰掛け構造により安心して休息できるようにすることである。本発明は、この相反する課題の解決を図るものである。
【０００４】
【課題を解決するための手段】
上記課題解決のために講じた手段は、１本脚ステッキの軽量性と操作性を極力、形状面で活かしながら、腰掛けとしての安定性向上のために必要最小限の機構を加えたことである。これは自転車の力学を参考にして、試作と実験を繰り返した結果、一本脚と３脚式の中間である前後２脚式の構造を開発し、歩行時は部材を折りたたんでステッキに密着させた１本脚ステッキとして構成し、休息時は開いた前後２脚の接地に、左右両足を加えた４点支持にすることによって安定した着座が得られ、前記二つの課題を解決することができた。
【０００５】
【作　用】
本発明の２脚式腰掛け付きステッキは、３脚式に比べて軽量で、脚の出っ張りが大幅に少ない。腰掛けを折りたたんで携行するときは、２脚が密着して１本脚の形状になる。また、休息時に腰掛けを展開したときは、腰掛けを地面と結ぶ２脚が前後方向に開いた三角形を上下に構成し、地面に対する位置関係が固定するので前後方向の揺れがない。また腰掛けた着座者の両足が左右に開いて地面を踏んでいるので、左右方向の揺れが両足で抑えられ、４点支持の安定した座姿勢が得られる。また三角形を構成するステッキ棒自体が地面に対して一定の角度で安定しているので、ステッキ棒の頭部取っ手を着座者が手で保持することによって、着座者の上体姿勢を安定させることができる。
【０００６】
【実施例】
本発明の実施例１について図１の斜視図により説明する。構造を見やすくするため、腰掛け本体の形状を鎖線で示している。第一支柱（以下、ステッキ棒と称する）１は上端に取っ手１ａ、下端にゴム足１ｂを有し、中間やや上方の孔１ｃに折りたたみ式の腰掛け２のヒンジ２ａをピン３で係合している。腰掛け２の下面に、左右に分かれた２個のヒンジ２ｂがあり、これに第二支柱（以下、支持棒と称する）４のＴ字状上端部４ａがピン５を介して係合し、支持棒４は腰掛け荷重を支えるために地面にまで伸びて下端のゴム足４ｂで地面に接するが、中間の４ｃにおいてステッキ棒１とＸ字状に交叉し、支持棒４に嵌挿したヒンジ付き摺動部材６を配置し、ヒンジ付き摺動部材６はステッキ棒１に設けた孔１ｄに挿入したピン７によりステッキ棒１と係合している。腰掛け２の水平姿勢を保つために、支持棒４の摺動を一定ストロークに規定するストッパー８が支持神４に取り付けられている。ステッキとして使用するときは、腰掛け２を持ち上げてピン３回りに折りたたんでステッキ棒１に密着させ、支持棒４はヒンジ付き摺動部材６から上方へずり上がって、ピン７回りに回転しステッキ棒１に密着する。休息用腰掛けとして展開するときは、腰掛け２をステッキ棒１から開いてストッパー８がヒンジ付き摺動部材６に当たるまで押し下げる。ステッキ棒１と支持棒４がＸ字状に交叉し、ヒンジ係合で位置関係が固定するので、自転車に乗るように腰掛け２に座ることができる。全体を折りたたんだ状態の正面図を図１０に示す。
【０００７】
支持棒を摺動伸縮可能な二重筒とした実施例２の側面図を図２に示す。ヒンジ付き摺動部材６の機能と支持棒４の機能を一体化したヒンジ付き支持筒４ｘは中間部をピン７でステッキ棒１に係合しており、腰掛け２のヒンジ２ｂにＴ字状の上端４ａをピン５で係合した支持棒心材４ｙがヒンジ付き支持筒４ｘの内部に挿入され、４ｘおよび４ｙからなる支持棒全体を伸縮可能にしている。腰掛け時の荷重は支持棒心材４ｙのＴ字状上端４ａからヒンジ付き支持筒４ｘの上端に伝えられる。支持棒心材４ｙのＴ字状上端部４ａと腰掛け２の係合関係は実施例１と同様で、この部分の正面形状は図１０に示す通りである。腰掛け２を持ち上げるとステッキ棒１のヒンジ１ｅを中心にして回転し、支持棒心材４ｙが支持筒４ｘから引き出されて支持棒全体の長さが伸びて、腰掛け付きステッキ全体を折りたたむことができる。
【０００８】
ステッキ棒１に摺動部材を嵌挿した実施例３の側面図を図３に示す。実線は腰掛け展開状態、２点鎖線は折りたたみ状態の摺動部材位置および展開した腰掛けに着座した人の姿勢を示す。全体構成は実施例１とほぼ同様であるが、以下が実施例１と異なる。摺動部材６をステッキ棒１に嵌挿し、腰掛け２の一端とヒンジ係合したことが実施例１と異なり、摺動部材６はステッキ棒の軸上で摺動する。この摺動により全体が折りたたみできるので、ステッキ棒１および支持棒４のＸ字状交叉点は摺動の必要が無くなり、位置固定式のヒンジ構造である。ステッキとしての使用時は、摺動部材６を支持棒４の上方へ摺動させて、腰掛け２をステッキ棒１に密着させて折りたたむ。腰掛けとして使用する時は、摺動部材６を下方に押し下げて腰掛け２を水平に展開する。摺動部材６が過剰に下がらないように、ステッキ棒１にストッパー８が留められている。以上のごとく実施例３は、実施例１に対して摺動部材６の配置軸を変更した２脚式腰掛け付きステッキである。Ｘ字状構成のステッキ棒あるいは支持棒の軸上でヒンジを摺動可能にした折りたたみ方式を説明したが、三角形を構成するいずれかの辺を伸縮可能にすれば、折りたたみが可能である。
【０００９】
図４は腰掛け２の下面側に摺動レール２ｃを取り付けた実施例４の側面図である。実線は腰掛け展開状態、２点鎖線は折りたたみ状態を示す。腰掛け２はヒンジ１ｅを中心にして下方へ折りたたまれる。支持棒Ａの上端にあるスライドピン４ｄは摺動レール２ｃの溝内で動き、腰掛け展開状態ではその位置が安定するように溝が上方に若干、深められている。
【００１０】
折りたたみをよりコンパクトに行うために支持棒４を上下に２分割した実施例５の側面図を図５に示す。実線の形は腰掛け展開状態を示し、２点鎖線は折りたたんだ状態を示している。折りたたんだ状態の腰掛け部分すなわち取っ手となる部分の正面図を図１１に示す。この実施例は同一面内で折りたたむことができるので横方向張り出し量が少なく、便利な携帯性を目的にしている。腰掛け９の一端は、ステッキ棒１にヒンジ係合し、腰掛け９下面のヒンジ部９ａに２分割した支持棒の上半部１０ａの上端がヒンジ係合している。折りたたみ状態では腰掛け９の上辺をステッキ棒の取っ手として使用するため、ステッキ棒１の上端と契合させている。契合の手段は多様であるが、腰掛け９の上辺下面中央に窪み９ｂを設け、ステッキ棒１の上部先端にばね作用で伸びる突起あるいはスライド式外筒を組み込んで、これの先端が前記の腰掛けの窪み９ｂに嵌るようにしてもよい。ステッキ棒１の中間部にチューブ状の摺動部材１１が嵌挿されており、その上端に前記の上部支持棒１０ａの下端がヒンジ係合している。摺動部材１１の下端に、下部支持棒１０ｂの上端がヒンジ係合し、下部支持棒１０ｂの下端は接地して腰掛けの荷重の一部を支える。この下部支持棒１０ｂが所定の角度に開くように、ステッキ棒１のヒンジ１ｆおよび下部支持棒１０ｂの下端ヒンジが拘束メンバー１２により連結されている。この拘束メンバー１２は下部支持棒１０ｂの開き角度を展開時に所定値に維持できるものであれば、例えばストッパーとばね、ストラップなどの組み合わせでも良い。腰掛け９を水平に保持するため、摺動部材１１が下がり過ぎないようにステッキ桐にストッパー８を設けている。上部支持棒１０ａと下部支持棒１０ｂは摺動部材１１を通じて連動する。今、腰掛けを折りたたむために引き起こすと、上部支持棒１０ａが摺動部材１１を引っ張り上げ、つれて下部支持棒１０ｂおよび拘束メンバー１２が引き上げられて、それぞれがステッキ棒１に密着する。実施例１および２では支持棒がステッキ棒と干渉しないように側方に並列配置する必要があり、その分が横に張り出していたが、本実施例では支持棒を上下に分割し、中継の役割を持つ摺動部材１１の背側と腹側に設けたヒンジにそれぞれ接続するので、同一平面内となり、側方交叉の必要が無く、コンパクトに折りたたむことができて携帯に便利である。
【００１１】
実施例６の側面図を図６に示す。実施例５における２分割した支持棒の上側と下側の連動性を省き、折りたたみ／展開を上下で独立操作にしたものである。上部支持棒１０ａの機能と摺動部材１３との連繋は実施例５と同じであるが、下部支持棒１０ｃは摺動部材１３の動きとは関係なく、ステッキ棒１に設けた固定のヒンジピン１ｇに係合し、手動で折りたたみ状態あるいは所定角度への展開を可能にしているが、下部支持棒１０ｃがふらふらしないようにヒンジ部に摩擦材などを組み込んでいる。下部支持棒１０ｃはまた、開脚角度を所定値に抑制するストッパーを有している。下部支持棒１０ｃはコ字形断面のチャネル材を使用して支持棒１を囲むように密着でき、密着を保持するクリックストップを先端に有している。この構造は折りたたみ時の部材出っ張りがもっとも少ない。実施例５のワンアクションによる折りたたみ／展開に対して、２アクションにはなるが２脚式腰掛けとして同等の効果を有する。折りたたんだ状態の腰掛け部分の形状は、実施例５と同様に図１１に示される。
【００１２】
実施例６の腰掛けを取り外し式にして、ステッキとしての軽快性を高めた実施例７を図７に示す。摺動部材は不要となり、腰掛け使用時はステッキ棒１に固定したピン３に腰掛け１４の前端、ピン５に支持棒１０ｘの下端を嵌挿して腰掛けを固定できる。腰掛け１４に支持棒１０ｘがピン５で係合されている。ステッキとして使用するときは、腰掛け１４および支持棒１０ｘを上方へ持ち上げて取り外す。また小移動に際しては腰掛け１４をステッキ棒１に折りたたんで組み付けた方が便利なこともあり、この場合は前記係合点のいずれかをピン３あるいはピン７にスナップ留めして、一体に携行できるようにすることができる。
【００１３】
１辺の長さを変えるヒンジ付き摺動部材の代わりに、１辺となる腰掛けを２分割して折りたたみ中継リンク付きの構成とした実施例８の側面図を図８に示す。実線の形は腰掛け展開状態、２点鎖線の形は折りたたみ状態である。図９は折りたたんだ状態の正面図である。腰掛け１５がステッキ棒１に中継リンク１６を介してヒンジ１ｈで係合している。腰掛け１５の水平展開状態では、中継リンク１６の上縁は腰掛けの裏面に密着して腰掛けの下向き荷重を吸収し、ステッキ棒１にヒンジ１ｈを通じて荷重を伝える。折りたたむときは中継リンク１６を持ち上げてヒンジ１ｈ回りに回転させると、腰掛け１５がステッキ棒沿いにずり上がり、支持棒Ａがステッキ棒１にたぐり寄せられて全体が２点鎖線のごとく折りたたまれる。
【００１４】
図１２は支持棒の接地点形状を幅広型接地足１７とした状態を示すもので、支持棒４あるいは１０ｂあるいは１０Ｃの接地部に、接地左右幅が広がるように取り付けると、左右方向の安定性が増すことになり、２脚式でありながら３脚式接地の効果を持つものである。実施例のいずれにも適用することができる。
【００１５】
【発明の効果】
本発明の２脚式腰掛け付きステッキは、４脚式折りたたみ腰掛けには不可能であったステッキとしての携行性を有する。また構造上、３脚式ステッキよりも軽量でデザインが優れ、出っ張りの少ない１本脚ステッキとして携行できるので、ステッキとしての実用性が優れている。休息のため腰掛けとして使用する場合に転倒する危険があってはならないが、この発明による２脚式腰掛けへの着座は、ブレーキを掛けて停止している自転車への座乗と同じ原理であるため、転倒する危険がまったく生じない。すなわち、三角リンク構成によって地面に対して前後２点で支えられている腰掛けは、ブレーキの掛かっている自転車のサドルに相当し、ステッキ棒頭部の取っ手は自転車のハンドルに相当する。停止中の自転車に座乗して足を左右に降ろした状態と、本発明の腰掛けに着座して足を左右に降ろした状態は力学的に一致する。以上のごとく自転車のサドルに座乗してハンドルを握り、足を左右に降ろしたのとまったく同じ状態がこの腰掛けに着座したときに成立し、前後左右の４点支持となり、いずれの方向にも転倒する危険がない。以上のごとく、前後に接地点を開いた２脚式腰掛けにより安全性を保持しながら、折りたたみ状態では３脚式では不可能であった１本脚としての携行性を実現することができた。
【図面の簡単な説明】
【図１】実施例１の斜視図である。
【図２】実施例２の側面図である。
【図３】実施例３の側面図である。
【図４】実施例４の側面図である。
【図５】実施例５の側面図である。
【図６】実施例６の側面図である。
【図７】実施例７の側面図である。
【図８】実施例８の側面図である。
【図９】実施例８を折りたたんだ状態を示す正面図である。
【図１０】実施例１の折りたたんだ状態を示す正面図である。
【図１１】実施例５および実施例６の折りたたんだ状態における取っ手部を示す正面図である。
【図１２】幅広にした支持棒接地部を示す正面図である。
【符号の説明】
１．ステッキ棒
１ａ．取っ手
１ｂ．ゴム足
１ｃ．実施例１の腰掛け回転中心となるステッキ棒のヒンジ孔
１ｄ．実施例１の摺動部材を係合するヒンジ孔
１ｅ．実施例２の腰掛け取り付け用のステッキ棒のヒンジ
１ｆ．実施例５のステッキ棒下部のヒンジ
１ｇ．実施例６のヒンジピン
１ｈ．実施例８のヒンジ部
２．腰掛け
２ａ．ステッキ棒への取り付け用ヒンジ
２ｂ．支持棒への取り付け用ヒンジ
２ｃ．実施例４の腰掛けの摺動レール
３．腰掛け回転中心のピン
４．支持棒
４ａ．支持棒を腰掛け下面へ取り付ける上端のＴ字部
４ｂ．支持棒下端のゴム足
４ｃ．支持棒中間部のヒンジ孔
４ｄ．実施例４の支持棒の上端スライドピン
４ｘ．実施例２のヒンジ付き支持筒
４ｙ．実施例２の支持棒心材
５．支持棒上端の回転中心のピン
６．実施例１および３の摺動部材
７．ステッキ棒と支持棒を係合するピン
８．摺動ストロークを規制するストッパー
９．実施例５の腰掛け
９ａ．腰掛けの支持棒取り付けヒンジ部
９ｂ．腰掛け上辺の取っ手部窪み
１０ａ．実施例５および６の上部支持棒
１０ｂ．実施例５の下部支持棒
１０ｃ．実施例６の下部支持棒
１０ｘ．実施例７の支持棒
１１．実施例５のヒンジ付き摺動部材
１２．拘束メンバー
１３．実施例６の摺動部材
１４．実施例７の腰掛け
１５．実施例８の腰掛け
１６．中継リンク
１７．幅広型接地足
【図１】
2004121771.tif 000003
【図２】
2004121771.tif 000004
【図３】
2004121771.tif 000005
【図４】
2004121771.tif 000006
【図５】
2004121771.tif 000007
【図６】
2004121771.tif 000008
【図７】
2004121771.tif 000009
【図８】
2004121771.tif 000010
【図９】
2004121771.tif 000011
【図１０】
2004121771.tif 000012
【図１１】
2004121771.tif 000013
【図１２】
2004121771.tif 000014